(57)【要約】【課題】点灯回路ブロックに備えた回路部品の温度上昇を抑え、かつ、照明器具の重量バランスを良好に確保できる照明器具を提供する。【解決手段】照明器具１０は、照明器具の中心１１ａが天井に取り付けられ、ランプ１２の発光管１３が略面一に曲げられ、ランプ１２の中心１２ａが照明器具の中心１１ａと略一致する位置に配置されている。この照明器具１０は、点灯回路ブロック１４を構成する部品のうち、ランプ１２の温度上昇の影響を受ける部品がランプ１２の外周部１１ｂに配置され、ランプ１２の外周部１１ｂのうち、照明器具の中心１１ａに対して照明器具１０の重量バランスを保つようにリモコン受光部１６が配置されている。【選択図】図１
2010165554.tif 000002
【特許請求の範囲】
【請求項１】
照明器具の中心が天井に取り付けられ、ランプの発光管が略面一に曲げられて略平面状に発光可能に形成され、前記ランプの中心が前記照明器具の中心と略一致する位置に配置された照明器具において、
前記ランプの点灯を制御する点灯回路ブロックを構成する部品のうち、前記ランプの温度上昇の影響を受ける部品を前記ランプの外周部に配置し、
前記ランプの外周部のうち、前記照明器具の中心に対して前記照明器具の重量バランスを保つように付加機能ブロックを配置したことを特徴とする照明器具。
【請求項２】
照明器具の中心が天井に取り付けられ、ランプの発光管が略面一に曲げられて略平面状に発光可能に形成され、前記ランプの中心が前記照明器具の中心と略一致する位置に配置された照明器具において、
前記ランプの点灯を制御する点灯回路ブロックを構成する部品のうち、前記ランプの温度上昇の影響を受ける部品を複数個に分割し、
前記複数個に分割した部品を、前記ランプの外周部に配置し、かつ、前記照明器具の中心に対して前記照明器具の重量バランスを保つように配置したことを特徴とする照明器具。
【発明の詳細な説明】
【技術分野】
【０００１】
本発明は、照明器具の中心が取り付けられ、ランプの発光管が略面一に曲げられ、ランプの中心が照明器具の中心と略一致する位置に配置された照明器具に関する。
【背景技術】
【０００２】
図６〜図８に示す従来の照明器具１００，１１０は、環状の発光管を有するランプ１０１を備え、ランプ１０１の点灯を制御するインバータ式安定器（点灯回路ブロック）１０３を器具５２内に備えている。
図６、図７の照明器具１００は天井直付け型の器具であり、図８の照明器具６０は吊下げ型の器具である。
【０００３】
照明器具１００，１１０のように、灯体として環状のランプ１０１を用いた場合、図７に示すように点灯回路ブロック１０３をランプ１０１の内側に配置し、ランプ１０１と点灯回路ブロック１０３との間に適当な距離を取ることで、点灯回路ブロック１０３の部品の温度上昇を緩和できる。
【０００４】
また、インバータ式安定器（すなわち、点灯回路ブロック１０３）は、銅板に巻線を施したチョークコイルを使用する銅鉄安定器と比較すると回路部品が軽量である。
よって、図７に示すように器具中心付近に点灯回路ブロック１０３を配置し、さらに、プリント基板上における部品の配置を配慮することで器具本体の重量バランスを取ることが可能である。
【０００５】
ここで、図９に示す照明器具１２０は、点灯回路ブロック１２１の構成部品が重量バランスを配慮して配列（配置）されている。
この照明器具１２０は、巻線部分などの大型部品１２２が、器具の中心１２３を境として、ランプ１２４の重量が集中してかかるランプソケット１２５に対して反対側に配置されている（例えば、特許文献１参照）。
【先行技術文献】
【特許文献】
【０００６】
【特許文献１】特開平１１−４５６１２号公報
【０００７】
ところで、前述したように、銅鉄安定器は点灯回路ブロックの回路部品と比較して比較的重い部品である。よって、銅鉄安定器を用いた照明器具は、点灯回路ブロックを用いた照明器具と同様の方法で重量バランスを確保することは難しい。
【０００８】
このため、銅鉄安定器を用いた照明器具は、照明器具にバランサを追加して重量バランスを確保する必要がある。
しかし、バランサは照明器具に本来不要な部品であり、照明器具にバランサを設けることで重量が増加するという問題がある。
【発明の概要】
【発明が解決しようとする課題】
【０００９】
ここで、照明器具のなかには、略一平面において発光管が曲げられ、全体として平面上に発光するランプを用いたものがある。この照明器具の場合はランプの上側などに点灯回路ブロックが配置される。
このように、点灯回路ブロックをランプから適当な距離をとって上側に配置すると、従来のものより照明器具が厚くなる。これは、薄型化が特に求められる天井直付け型の照明器具（図６参照）においては実現性の低いものとなる。
【００１０】
一方、点灯回路ブロックとランプとの間に適当な距離が取れない場合は、点灯回路ブロックの回路部品がランプの発熱の影響を大きく受けるため、回路部品を大きくして回路部品の耐熱温度を上げる必要がある。
このように、点灯回路ブロックの回路部品を大きくすると、従来のものより照明器具が厚くなる。
【００１１】
この対策として、点灯回路ブロックをランプの外側に配置することで照明器具の厚さ寸法を抑えることが考えられる。
しかし、点灯回路ブロックをランプの外側に配置すると、点灯回路ブロックの位置が器具中心から大きく外れるため、照明器具の重量バランスが崩れるという問題がある。
【００１２】
本発明の目的は、上記従来の問題点に鑑みてなされたものであり、点灯回路ブロックに備えた回路部品の温度上昇を抑え、かつ、照明器具の重量バランスを良好に確保できる照明器具を提供することを課題とする。
【課題を解決するための手段】
【００１３】
本発明は、前記照明器具の中心が天井に取り付けられ、ランプの発光管が略面一に曲げられて略平面状に発光可能に形成され、前記ランプの中心が前記照明器具の中心と略一致する位置に配置された照明器具において、前記ランプの点灯を制御する点灯回路ブロックを構成する部品のうち、前記ランプの温度上昇の影響を受ける部品を前記ランプの外周部に配置し、前記ランプの外周部のうち、前記照明器具の中心に対して前記照明器具の重量バランスを保つように付加機能ブロックを配置したことを特徴とする。
【００１４】
また、本発明は、前記照明器具の中心が天井に取り付けられ、ランプの発光管が略面一に曲げられて略平面状に発光可能に形成され、前記ランプの中心が前記照明器具の中心と略一致する位置に配置された照明器具において、前記ランプの点灯を制御する点灯回路ブロックを構成する部品のうち、前記ランプの温度上昇の影響を受ける部品を複数個に分割し、前記複数個に分割した部品を、前記照明器具の中心に対して前記照明器具の重量バランスを保つように配置したことを特徴とする。
【発明の効果】
【００１５】
本発明では、ランプの点灯を制御する点灯回路ブロックを構成する部品のうち、ランプの温度上昇の影響を受ける部品をランプの外周部に配置した。
これにより、ランプの温度上昇の影響を受ける部品を、ランプの温度の影響を受け難くできる。
【００１６】
さらに、ランプの外周部のうち、照明器具の中心に対して照明器具の重量バランスを保つように付加機能ブロックを配置した。
これにより、付加機能ブロックおよび点灯回路ブロックで照明器具の重量バランスを良好に確保できる。
【００１７】
また、本発明では、ランプの点灯を制御する点灯回路ブロックを構成する部品のうち、ランプの温度上昇の影響を受ける部品を複数個に分割した。そして、複数個に分割した部品をランプの外周部に配置した。
これにより、ランプの温度上昇の影響を受ける部品を、ランプの温度の影響を受け難くできる。
【００１８】
さらに、複数個に分割した部品を、照明器具の中心に対して照明器具の重量バランスを保つように配置した。
これにより、点灯回路ブロックで照明器具の重量バランスを良好に確保できる。
【図面の簡単な説明】
【００１９】
【図１】本発明に係る照明器具（第１実施形態）を示す平面図
【図２】本発明に係る照明器具（第２実施形態）を示す平面図
【図３】本発明に係る照明器具（第３実施形態）を示す平面図
【図４】本発明に係る照明器具（第４実施形態）を示す平面図
【図５】本発明に係る照明器具（第５実施形態）を示す平面図
【図６】従来の天井直付け型の照明器具を示す分解斜視図
【図７】図６の照明器具を下から見た状態のランプと点灯回路ブロックとの位置関係を示す平面図
【図８】従来の天井吊下げ型の照明器具を示す分解斜視図
【図９】従来の照明器具のもう一つの例を示す平面図
【発明を実施するための形態】
【００２０】
本発明を実施するための最良の形態を添付図に基づいて以下に説明する。
【００２１】
（第１実施形態）
第１実施形態に係る照明器具１０について説明する。
図１に示すように、照明器具１０は、円形の器具本体１１と、発光管１３が略一平面に曲げられて平面状に発光するランプ１２と、ランプ１２の点灯を制御するインバータ式安定器としての点灯回路ブロック１４と、リモコン操作器（図示せず）からのリモコン信号を受信するリモコン受光部（付加機能ブロック）１６とを備えている。
【００２２】
器具本体１１は、円形に形成され、円形の中心（照明器具の中心）１１ａが天井に取り付けられている。
ランプ１２は、長手方向の管中間部を中心に二重渦巻状に形成し、中心１２ａが器具本体１１の中心１１ａに略一致した蛍光ランプである。
このランプ１２は、発光管１３が略一平面に曲げられることで全体として平面状に発光するため、環状の発光管を有するランプと比較して小型で明るいことを特徴とする。
【００２３】
点灯回路ブロック１４は、ランプ１２の点灯を制御するために、昇圧チョッパ回路と、その出力側に接続されたハーフブリッジインバータと、各種制御部・検出回路を備えている。
直流電源から得た直流電圧は、昇圧チョッパ回路にて昇圧・平滑されて、ハーフブリッジインバータの高周波スイッチング動作により高周波の矩形波電圧に変換される。
この矩形波電圧がＬＣ共振回路に入力されることにより、共振作用による略正弦波の電圧が生じ、ランプ１２の両端に印可されてランプ１２が点灯する。
【００２４】
この点灯回路ブロック１４は、昇圧チョッパ回路やＬＣ共振回路に、比較的大型の第１電解コンデンサ２１および第２電解コンデンサ２２と、プリント基板上に配置された大型の第１巻き線部品２４、第２巻き線部品２５、第３巻き線部品２６、第４巻き線部品２７および第５巻き線部品２８とを備えている。
【００２５】
第１、第２の電解コンデンサ２１，２２および第１〜第５の巻き線部品２４〜２８は、ランプ１２の温度上昇によって劣化が促進されることが懸念される部品、すなわちランプの温度上昇の影響を受ける部品である。
加えて、第１〜第５の巻き線部品２４〜２８は、温度上昇による劣化に加えて、自己発熱も伴って劣化を促進することが懸念される。
【００２６】
そこで、点灯回路ブロック１４がランプ１２の外周近傍に設けられ、第１、第２の電解コンデンサ２１，２２および第１〜第５の巻き線部品２４〜２８がランプ１２の外周部１１ｂに設けられている。
ここで、ランプ１２の外周部１１ｂとは、器具本体１１のうち、ランプ１２の外周側の部位（すなわち、ランプ１２の外周と器具本体１１の外周との間のリング状の部位）をいう。
【００２７】
よって、点灯回路ブロック１４のうち、ランプ１２と上下が重なり温度上昇が懸念される部位には、面実相部品のように天井側に放熱できる部品や、耐熱温度が比較的高く周囲の温度上昇により悪影響を受けない部品が設けられている。
これにより、温度上昇による点灯回路ブロックの回路部品（昇圧チョッパ回路やＬＣ共振回路）が劣化することを防ぐことができる。
【００２８】
また、第１、第２の電解コンデンサ２１，２２および第１〜第５の巻き線部品２４〜２８をランプ１２の外周部１１ｂに設けることにより、ランプ１２の温度の影響を受け難くできるので、これらの部分２１〜２８の劣化を抑えることができる。
【００２９】
リモコン受光部１６は、ユーザの操作に応じてリモコン信号を送信するリモコン操作器（図示せず）からのリモコン信号を受信するものである。
このリモコン受光部１６は、器具本体１１の中心１１ａを境として点灯回路ブロック１４の略反対側のランプ１２の外周部１１ｂに配置されている。
【００３０】
換言すれば、リモコン受光部１６および点灯回路ブロック１４は、ランプ１２の外周部１１ｂにおいて中心１１ａを境として点対称の位置に配置されている。
よって、リモコン受光部１６および点灯回路ブロック１４で照明器具１０の重量バランスを良好に確保できる。
【００３１】
以上説明したように、第１実施形態の照明器具１０によれば、第１、第２の電解コンデンサ２１，２２および第１〜第５の巻き線部品２４〜２８をランプ１２の外周部１１ｂに設けて、ランプ１２の温度の影響を受け難くできる。
加えて、器具本体１１の中心１１ａを境として点灯回路ブロック１４の略反対側のランプ１２の外周部１１ｂに配置することで、リモコン受光部１６および点灯回路ブロック１４で照明器具１０の重量バランスを良好に確保できる。
【００３２】
つぎに、第２実施形態および第５実施形態を図２〜図５に基づいて説明する。なお、第２実施形態および第５実施形態において第１実施形態と同様の構成部材について同じ符号を付して説明を省略する。
【００３３】
（第２実施形態）
第２実施形態に係る照明器具３０について説明する。
図２に示すように、第２実施形態の照明器具３０は、第１実施形態の点灯回路ブロック１４に代えて点灯回路ブロック３１を備えたものである。
【００３４】
点灯回路ブロック３１は、第１、第２の電解コンデンサ２１，２２および第１〜第５の巻き線部品２４〜２８がそれぞれの重量が均等になるように第１分割部３２と、第２分割部３３との２組に分割されている。
【００３５】
例えば、第１分割部３２は、第１、第２の電解コンデンサ２１，２２および第４、第５の巻き線部品２７，２８が第１プリント基板に実装されている。
また、第２分割部３３は、第１〜第３の巻き線部品２４〜２６が第２プリント基板に実装されている。
第１プリント基板および第２プリント基板は連結プリント基板３４で接続されている。
【００３６】
ここで、第１分割部３２、第２分割部３３および連結プリント基板３４は、ランプ１２の外周部１１ｂに配置されている。
さらに、器具本体１１の中心１１ａを境として点灯回路ブロック３１の略反対側のランプ１２の外周部１１ｂにリモコン受光部１６が配置されている。
換言すれば、第１分割部３２、第２分割部３３およびリモコン受光部１６は、２等辺三角形３６（想像線で示す）の各頂部に配置され、この２等辺三角形３６の重心位置が器具本体１１の中心１１ａに対して略一致している。
【００３７】
これにより、第１実施形態の照明器具１０と同様に、第１、第２の電解コンデンサ２１，２２および第１〜第５の巻き線部品２４〜２８をランプ１２の温度の影響を受け難くでき、加えて、リモコン受光部１６および点灯回路ブロック３１で照明器具３０の重量バランスを良好に確保できる。
【００３８】
（第３実施形態）
第３実施形態に係る照明器具４０について説明する。
図３に示すように、第３実施形態の照明器具４０は、第２実施形態の点灯回路ブロック３１に代えて点灯回路ブロック４１を備えたものである。
【００３９】
点灯回路ブロック４１は、第２実施形態の点灯回路ブロック３１と同様に、第１、第２の電解コンデンサ２１，２２および第１〜第５の巻き線部品２４〜２８がそれぞれの重量が均等になるように第１分割部４２と、第２分割部４３との２組に分割されている。
【００４０】
例えば、第１分割部４２は、第１、第２の電解コンデンサ２１，２２および第４、第５の巻き線部品２７，２８が第１プリント基板に実装されている。
また、第２分割部４３は、第１〜第３の巻き線部品２４〜２６が第１プリント基板に実装されている。
第１プリント基板および第２プリント基板は連結プリント基板４４で接続されている。
【００４１】
ここで、第１分割部４２および第２分割部４３は、ランプ１２の外周部１１ｂで、かつ、器具本体１１の中心１１ａを境として略反対側に配置されている。
また、連結プリント基板４４は、器具本体１１の中心１１ａに近接した位置に配置されている。
【００４２】
さらに、器具本体１１の中心１１ａを境として点灯回路ブロック４１の略反対側のランプ１２の外周部１１ｂにリモコン受光部１６が配置されている。
換言すれば、第１分割部４２、第２分割部４３およびリモコン受光部１６は、照明器具３０の重量バランスを良好に確保するように正三角形４６（想像線で示す）の各頂部に配置されている。
【００４３】
これにより、第２実施形態の照明器具３０と同様に、第１、第２の電解コンデンサ２１，２２および第１〜第５の巻き線部品２４〜２８をランプ１２の温度の影響を受け難くでき、加えて、リモコン受光部１６および点灯回路ブロック４１で照明器具４０の重量バランスを良好に確保できる。
【００４４】
（第４実施形態）
第４実施形態に係る照明器具５０について説明する。
図４に示すように、第４実施形態の照明器具５０は、第１実施形態の点灯回路ブロック１４に代えて点灯回路ブロック５１を備えたものである。
【００４５】
点灯回路ブロック５１は、第１、第２の電解コンデンサ２１，２２および第１〜第５の巻き線部品２４〜２８がそれぞれの重量が均等になるように第１分割部５２（第１、第２の電解コンデンサ２１，２２および第４、第５の巻き線部品２７，２８）と、第２分割部５３（第１〜第３の巻き線部品２４〜２６）との２組に分割されている。
【００４６】
そして、２組に分割された第１分割部５２および第２分割部５３がランプ１２の外周部１１ｂで、かつ、照明器具５０の中心１１ａを境として互いに反対側に配置されている。
よって、温度上昇による点灯回路ブロック５１の回路部品の劣化を防ぐことができるとともに、照明器具５０の重量バランスを良好に確保できる。
【００４７】
点灯回路ブロック５１は、第１分割部５２に第１、第２の電解コンデンサ２１，２２および第４、第５の巻き線部品２７，２８を実装する第１プリント基板が設けられ、第２分割部５３に第１〜第３の巻き線部品２４〜２６を実装する第２プリント基板が設けられ、第１プリント基板および第２プリント基板が連結プリント基板５５で接続されている。
【００４８】
点灯回路ブロック３１の、ランプ１２と上下が重なり温度上昇が懸念される部分には、面実装品のように天井側に放熱できる部品や、耐熱温度が比較的高く周囲の温度上昇に悪影響を受けない部品が置かれている。
【００４９】
これにより、第１実施形態の照明器具１０と同様に、第１、第２の電解コンデンサ２１，２２および第１〜第５の巻き線部品２４〜２８をランプ１２の温度の影響を受け難くでき、加えて、点灯回路ブロック５１で照明器具５０の重量バランスを良好に確保できる。
【００５０】
（第５実施形態）
第５実施形態に係る照明器具６０について説明する。
図５に示すように、第５実施形態の照明器具６０は、第４実施形態の点灯回路ブロック５１に代えて点灯回路ブロック６１を備えたものである。
【００５１】
点灯回路ブロック６１は、ランプ１２の外周部１１ｂにリング状（ドーナツ状）のプリント基板を備え、このプリント基板に第１、第２の電解コンデンサ２１，２２および第１〜第５の巻き線部品２４〜２８が照明器具６０の重量バランスを良好に確保するように所定間隔をおいて分割した状態で配置されている。
【００５２】
これにより、第４実施形態の照明器具５０と同様に、第１、第２の電解コンデンサ２１，２２および第１〜第５の巻き線部品２４〜２８をランプ１２の温度の影響を受け難くでき、加えて、点灯回路ブロック６１で照明器具６０の重量バランスを良好に確保できる。
【００５３】
なお、本発明に係る照明器具は、前述した実施形態に限定されるものではなく適宜変更、改良などが可能である。
例えば、第１実施形態〜第３実施形態では、付加機能ブロックとしてリモコン受光部１６を例示したが、これに限らないで、付加機能ブロックとして他の部材を用いることが可能である。
【００５４】
また、第１実施形態〜第５実施形態では、点灯回路ブロック１４，３１，４１，５１，６１の構成部品として第１、第２の電解コンデンサ２１，２２および第１〜第５の巻き線部品２４〜２８を例示したが、これに限らないで、その他の部材を選択するも可能である。
【００５５】
さらに、第１実施形態〜第５実施形態で示した器具本体１１、ランプの外周部１１ｂ、ランプ１２、発光管１３、点灯回路ブロック１４，３１，４１，５１，６１、リモコン受光部１６、第１電解コンデンサ２１、第２電解コンデンサ２２、第１巻き線部品２４、第２巻き線部品２５、第３巻き線部品２６、第４巻き線部品２７および第５巻き線部品２８などの形状は例示したものに限定するものではなく適宜変更が可能である。
【符号の説明】
【００５６】
１０，３０，４０，５０，６０  照明器具
１１  器具本体
１１ａ  器具本体の中心（照明器具の中心）
１１ｂ  ランプの外周部（ランプの温度上昇の影響を受ける部品）
１２  ランプ
１２ａ  ランプの中心
１３  発光管
１４，３１，４１，５１，６１  点灯回路ブロック
１６  リモコン受光部（付加機能ブロック）
２１  第１電解コンデンサ（ランプの温度上昇の影響を受ける部品）
２２  第２電解コンデンサ（ランプの温度上昇の影響を受ける部品）
２４  第１巻き線部品（ランプの温度上昇の影響を受ける部品）
２５  第２巻き線部品（ランプの温度上昇の影響を受ける部品）
２６  第３巻き線部品（ランプの温度上昇の影響を受ける部品）
２７  第４巻き線部品（ランプの温度上昇の影響を受ける部品）
２８  第５巻き線部品（ランプの温度上昇の影響を受ける部品）
【図１】
2010165554.tif 000003
【図２】
2010165554.tif 000004
【図３】
2010165554.tif 000005
【図４】
2010165554.tif 000006
【図５】
2010165554.tif 000007
【図６】
2010165554.tif 000008
【図７】
2010165554.tif 000009
【図８】
2010165554.tif 000010
【図９】
2010165554.tif 000011